(57)【特許請求の範囲】
【請求項１】
枠状に形成されている五徳本体の上面複数箇所に鍋底載置用突出部を一体に設けてなる五徳において、上記五徳本体の下面に上端縁が該五徳本体に連続した一定高さのコンロ周壁部を下方に向かって突設してあり、このコンロ周壁部の外周壁面に上下方向に長い鍋底載置用突出部の嵌合溝孔を形成していることを特徴とする五徳。
【発明の詳細な説明】
【０００１】
【発明の属する技術分野】
本発明は、上下方向に重ね合わせて保管することができる五徳に関する。
【０００２】
【従来の技術】
従来から、五徳はコンロ保持台とは別体に形成されており、使用する際には五徳をコンロ保持台の上面に載置した上で、該五徳の鍋底載置用突出部上に鍋が載置される。そして、使用しない時には、五徳をコンロ保持台から離脱させて別体とした上で、五徳は五徳同士集められた状態で保管される。
【０００３】
しかしながら、従来の五徳は重ね合わせた状態で保管することができず、ただ単に積み重ねた状態とするか、或いは、無造作に複数の五徳を保管箱内に入れておくといった保管方法しかなく、前者の場合には不用意な外部からの衝撃によって崩れてしまうといった問題点があり、又、後者の場合には、無造作に保管箱内に入れていることから、一の五徳を取り出す際に他の五徳が引っ掛かったりして取り扱いに不便といった問題があった。
【０００４】
【発明が解決しようとする課題】
本発明は、複数の五徳を上下方向に重ね合わせた状態とすることができて整理整頓した状態で保管することができ、使用する際にあっても一の五徳のみを簡単且つ確実に取り出して使用することができる五徳を提供する。
【０００５】
【課題を解決するための手段】
請求項１に記載の五徳は、枠状に形成されている五徳本体の上面複数箇所に鍋底載置用突出部を一体に設けてなる五徳において、五徳本体の下面に上端縁が該五徳本体に連続した一定高さのコンロ周壁部を下方に向かって突設してあり、このコンロ周壁部の外周壁面に上下方向に長い鍋底載置用突出部の嵌合溝孔を形成していることを特徴とする。
【０００６】
【作用】
本発明の五徳は、五徳本体の下面外周部に、他の五徳の鍋底載置用突出部が嵌脱自在に嵌合可能な嵌合溝孔を形成しており、一の五徳の嵌合溝孔の夫々に他の五徳の鍋底載置用突出部の夫々を嵌合させることによって、複数の五徳を上下方向に重ね合わせた状態とすることができる。
【０００７】
よって、五徳を使用していない時には、複数の五徳を重ね合わせた整理整頓したコンパクトな状態に保管することができるとともに、一の五徳を取り出す際にも最上部の五徳を下方の五徳から簡単に且つ確実に取り出すことができる。
【０００８】
【発明の実施の形態】
本発明の五徳の一例を図面を参照しつつ説明する。五徳本体１は、図１乃至図４に示したように、平面正方形の枠状に形成されており、該五徳本体１の上面における夫々の角部には鍋底載置用突出部11が上方に向かって突設されている。
【０００９】
上記鍋底載置用突出部11は偏平な側面略台形状に形成されているとともに、その長さ方向を上記五徳本体１の対角線方向に合致した状態に形成されており、上記鍋底載置用突出部11の上端面は内方から外方に向かって階段状に傾斜した傾斜面に形成されている。
【００１０】
更に、上記五徳本体１の下面には一定高さのコンロ周壁部12が一体に形成されている。該コンロ周壁部12は上端開口縁を上記五徳本体１の内周縁に一体に連続させていると共に、上端から下端に向かって徐々に小幅となる逆截頭四角錐の皿形状に形成されてあり、その下端を有底にして底部121 に形成している。この底部121 の平坦な内底面を固形燃料Ｂを安定した状態で載置することができる固形燃料載置面121aとされている。
【００１１】
そして、五徳本体１の上面四方に突設した上記各鍋底載置用突出部11の下方に対応させて上記コンロ周壁部12の外周壁面122 における傾斜稜角部の夫々には、その上下方向の全長に亘って且つ下端を開放させた状態に上記鍋底載置用突出部11が嵌脱自在に嵌合可能な縦長スリット形状の嵌合溝孔123 、123 ・・・が内方に向かって一定深さ凹設されている（図２及び図５参照）。
【００１２】
又、上記コンロ周壁部12の四方周壁面122 の夫々には、その内外面に亘って貫通した空気孔124 、124 ・・・が貫設されており、上記固形燃料載置面121a上に載置された固形燃料Ｂに円滑に且つ確実に酸素を供給できるように構成されている。
【００１３】
次に、上記五徳Ａの使用要領を説明する。始めに、五徳Ａを上下方向に重ね合わせて所定場所に保管する際の要領について説明する。
【００１４】
先ず、下方側に配した五徳Ａの鍋底載置用突出部11、11・・・の上方に、上方側に配する五徳Ａのコンロ周壁部12の嵌合溝孔123 、123 ・・・の下端開口部を対向させた状態とした上で、上方の五徳Ａを下方の五徳Ａに向かって降ろすと、下方の五徳Ａの鍋底載置用突出部11が上方の五徳Ａの五徳本体１の嵌合溝孔123
内に挿入、嵌合し、該鍋底載置用突出部11が全高に亘って嵌合溝孔123 内に嵌合され、鍋底載置用突出部11の上端面が上方側の五徳Ａの五徳本体１の下面に当接して両五徳Ａ、Ａが安定した状態に重ね合わせられる（図６参照）。
【００１５】
この状態では、上下の五徳Ａ、Ａは互いに安定した状態に重ね合わされているので外部からの衝撃に対しても不用意に崩れるといったこともなく、複数の五徳Ａを安定したコンパクトな状態に重ね合わせて保管しておくことができる。なお、図７では二つの五徳Ａ、Ａを上下方向に重ね合わせた時について説明したが、三つ以上の五徳Ａ、Ａ・・・を上記と同様にして上下方向に重ね合わせてもよい。
【００１６】
次に、上記上下方向に重ね合わせた五徳Ａを使用するには、最上部の五徳Ａを該五徳Ａの下方に位置する五徳Ａから離間する方向、即ち、上方に向かって持ち上げることによって、最上部の五徳Ａのコンロ周壁部12の嵌合溝孔123 、123 ・・・と下方の五徳Ａの鍋底載置用突出部11、11・・・との嵌合状態を解除して、最上部の五徳Ａを取り出す。
【００１７】
しかして、この取り出された五徳Ａは、図７に示したような、従来から用いられているコンロ保持台Ｃの上端開口部に枠状の五徳本体１を着脱自在に嵌め込んで支持させ、五徳本体１のコンロ部を形成しているコンロ周壁部12をコンロ保持台Ｃ内に吊り下げた状態にする。この状態にして、コンロ周壁部12の固形燃料載置面121a上に固形燃料Ｂを載置、燃焼させた上で、該五徳Ａの鍋底載置用突出部11、11・・・上に鍋Ｃを載置し、上記固形燃料Ｂによって上記鍋Ｄを加熱し、該鍋Ｄ内の食材を調理する。
【００１８】
上記五徳Ａでは、そのコンロ周壁部12の底部121 の内面を固形燃料載置面121aとした場合を説明したが、図８及び図９に示したように、上記コンロ周壁部12の略全面に亘って上下方向に貫通する貫通孔121bを形成してもよい。かかる場合には、固形燃料Ｂは、図８に示したように、コンロ保持台Ｃの内底面上に載置される。
【００１９】
又、上記五徳Ａでは、五徳本体１を平面正方形の枠状に形成するとともにコンロ周壁部12を逆截頭四角錘形状に形成した場合を説明したが、これに限定されるものではなく、五徳本体１を平面円形の枠状に形成するとともにコンロ周壁部12を逆截頭四角錘形状に形成したものであってもよく、或いは、五徳本体1 を平面円形の枠状に形成するとともにコンロ周壁部12を逆截頭円錐形状に形成したものであってもよく、更に、五徳本体１を平面正方形の枠状に形成するとともにコンロ周壁部12を逆截頭円錐形状に形成したものであってもよい。
【００２０】
【発明の効果】
請求項１に記載の五徳は、枠状に形成されている五徳本体の上面複数箇所に鍋底載置用突出部を一体に設けてなる五徳において、上記五徳本体の下面外周部に上記各鍋底載置用突出部の夫々が嵌脱自在に嵌合可能な嵌合溝孔を形成していることを特徴とするので、複数の五徳を上方の五徳の嵌合溝孔に下方の五徳の鍋底載置用突出部を嵌脱自在に嵌合させた状態に重ね合わせることができる。
【００２１】
即ち、複数の五徳を上下方向にコンパクトにしかも安定した状態に重ね合わせた上で狭い保管場所にも保管することができるとともに、外部からの衝撃に対して不用意にその重ね合わせた状態が崩れるといった不測の事態も生じない。
【００２２】
しかも、この上下方向に重ね合わせた五徳を使用する場合にも、最上部の五徳を下方の五徳から離間する方向、即ち、上方に向かって持ち上げるといった簡単な操作でもって、最上部の五徳を下方の五徳から簡単に且つ確実に取り出すことができる。
【００２３】
上記五徳は、五徳本体の下面に上端縁が該五徳本体に連続した一定高さのコンロ周壁部を下方に向かって突設してあり、このコンロ周壁部の外周壁面に上下方向に長い鍋底載置用突出部の嵌合溝孔を形成しているので、下方の五徳の鍋底載置用突出部を上方の五徳の嵌合溝孔の内周面に沿わせた状態に、しかも下方の五徳の鍋底載置用突出部の全体を上方の五徳の嵌合溝孔に完全に且つ確実に嵌合させた状態に複数の五徳を安定した状態に且つコンパクトに重ね合わせることができる。
【００２４】
上記五徳において、コンロ周壁部の下端を有底に形成して、この有底の内底面を固形燃料載置面に形成しているとともに、該コンロ周壁部に内外に貫通する空気孔を穿設している場合には、コンロ保持台を用いることなく固形燃料を用いて鍋底載置用突出部に載置した鍋内の食材を調理することができるとともに、コンロ周壁部に空気孔を穿設しているので固形燃料の不完全燃焼を防止することができる。
【図面の簡単な説明】
【図１】  本発明の五徳を示した斜視図である。
【図２】  本発明の五徳を示した斜視図である。
【図３】  本発明の五徳を示した平面図である。
【図４】  本発明の五徳を示した正面図である。
【図５】  本発明の五徳を示した底面図である。
【図６】  本発明の五徳を上下方向に重ね合わせた状態を示した断面図である。
【図７】  本発明の五徳の使用状態を示した正面図である。
【図８】  本発明の他の五徳の使用状態を示した斜視図である。
【図９】  図８の五徳を示した斜視図である。
【符号の説明】
１  五徳本体
11  鍋底載置用突出部
12  コンロ周壁部
121 底部
122 周壁面
121a固形燃料載置面
123 嵌合溝孔
124 空気孔
Ａ  五徳
Ｂ  固形燃料
Ｃ  コンロ保持台
Ｄ  鍋
【図１】
0004002695.tif 000002
【図２】
0004002695.tif 000003
【図３】
0004002695.tif 000004
【図４】
0004002695.tif 000005
【図５】
0004002695.tif 000006
【図６】
0004002695.tif 000007
【図７】
0004002695.tif 000008
【図８】
0004002695.tif 000009
【図９】
0004002695.tif 000010